(57)【要約】  回転部材にロッドを容易に組付けできる開閉体のロック装置を提供する。このロック装置１０は、ロック部と一対のロッド２０，２０とベース部材４０と回転部材６０と操作部材とを有し、ベース部材４０は、底面４１ａを有する底部４１と一対の立壁部５０，５０とを有し、回転部材６０は、ロッド連結部６３と、その内径側に設けられた、円弧壁又は円弧壁からなるガイド壁部６５とを有しており、底面４１ａに対して面直方向から見たときに、立壁部５０とガイド壁部６５とが、ロッド２０を受け入れ可能な隙間を介して、互いに対向して配置されており、各ロッド２０と立壁部５０との間には、各ロッド２０を前記隙間に挿入してロッド連結部６３に各ロッド２０を連結させたとき、底面４１ａに対して面直方向にロッド２０を抜け止めする抜け止め構造が設けられている。
2017094551.tif 000002
【特許請求の範囲】
【請求項１】
固定体の開口部に開閉可能に取付けられる開閉体のロック装置であって、
前記固定体の開口部又は開閉体のどちらか一方に設けられたロック部と、
前記固定体又は前記開閉体のどちらか他方に配置され、前記ロック部に係脱する一対のロッドと、
前記固定体又は前記開閉体に設置されるベース部材と、
前記ベース部材に回転可能に装着される回転部材と、
前記ロック部から前記ロッドを係脱操作する操作部材とを有し、
前記ベース部材は、前記固定体又は前記開閉体の設置面に面し、底面を有する底部と、その底面側から立設した一対の立壁部とを有しており、
前記回転部材は、前記ロッドに連結して、同回転部材の回転力を前記ロッドに伝達させるロッド連結部と、該ロッド連結部よりも前記回転部材の内径側に設けられ、前記ロッドをスライドガイドするガイド壁部とを有しており、このガイド壁部は、前記回転部材の回転中心に対して、同心状の円弧面を有する、円弧壁又は円筒壁からなり、
前記ベース部材の底面に対して面直方向から見たときに、前記ベース部材の立壁部と前記回転部材のガイド壁部とが、前記ロッドを受け入れ可能な隙間を介して、互いに対向して配置されており、
前記各ロッドと前記ベース部材の立壁部との間には、前記各ロッドを前記隙間に挿入して前記ロッド連結部に前記各ロッドを連結させたとき、前記ベース部材の底面に対して面直方向に前記ロッドを抜け止めする抜け止め構造が設けられていることを特徴とする開閉体のロック装置。
【請求項２】
前記ベース部材の底面に対して面直方向から見たときに、前記ベース部材の立壁部と、前記回転部材のガイド壁部とは、少なくとも、前記ロッド連結部の回動軌跡の範囲内において、互いに対向して配置されている請求項１記載の開閉体のロック装置。
【請求項３】
前記抜け止め構造は、前記立壁部又は前記ロッドの一方に設けられた撓み可能な弾性爪と、前記立壁部又は前記ロッドの他方に設けられた、前記弾性爪が係合する被係合部とからなり、前記弾性爪は、前記ロッドを前記ガイド壁部に当接させるように付勢した状態で係合するように構成されている請求項１又は２記載の開閉体のロック装置。
【請求項４】
前記弾性爪は、前記ベース部材の立壁部に形成されており、
前記被係合部は、前記ロッドの、前記ベース部材のガイド壁部側の側面とは、反対側の側面に形成されている請求項３記載の開閉体のロック装置。
【請求項５】
前記被係合部は、前記ロッドの、前記ベース部材のガイド壁部側の側面とは、反対側の側面であって、前記ベース部材の底面寄りの位置に配置された、前記ロッドの軸方向に沿って延びる突条からなる請求項４記載の開閉体のロック装置。
【請求項６】
前記ガイド壁部の外周には、前記ロッド連結部をなすピニオンギヤが形成されており、
前記ロッドの、前記ガイド壁部側の側面に、前記ピニオンギヤに歯合するラック溝が形成されている請求項１〜５のいずれか１つに記載の開閉体のロック装置。
【請求項７】
前記ロッド連結部は凸状をなしており、
前記ロッドの、前記ベース部の底面側には、同ロッドのスライド方向に沿って所定間隔で複数の凹部が形成され、該凹部に前記ロッド連結部が挿入されるように構成されている請求項１〜６のいずれか１つに記載の開閉体のロック装置。
【発明の詳細な説明】
【技術分野】
【０００１】
本発明は、固定体の開口部に開閉可能に取付けられる開閉体を、閉じた状態にロックするための、開閉体のロック装置に関する。
【背景技術】
【０００２】
例えば、自動車のグローブボックス等の固定体に形成された開口部には、リッド等の開閉体が開閉可能に取付けられている。そして、開口部と開閉体との間には、開閉体を閉じたときにロックすると共に、開閉体を開くときにはロックを解除できるようにしたロック装置が設けられている。【０００３】
このようなロック装置として、例えば、下記特許文献１の図１３に示す実施形態には、開閉部材に取付けられたベース部材と、ベース部材の表側に装着された操作部材と、ベース部材の背面側に装着されたロータ部材と、ロータ部材によりスライドするロック部材とを有するロック装置が記載されている。前記ロータ部材には、中心に筒状軸部が突出し、その外周に突起状のロータ連結部が突設されている。また、前記ロック部材は、ロータ連結部が挿入される枠状のロック連結部と、ロック連結部から延出し係合孔に係脱する第１延出部と、ロック連結部から第１延出部とは反対側に延びる第２延出部とを有している。更にベース部材の背面側であって、ロータ部材の筒状軸部が配置された箇所から所定長さ離れた位置に、弾性爪状をなした一対の規制部が立設している。【０００４】
そして、ロック部材のロック連結部をロータ部材のロータ連結部に整合させると共に、一対の規制部の間にロック部材の第２延出部を整合させた状態で、ベース部材に対してロック部材を押し込む。すると、一対の規制部が拡開して、その間にロック部材の第２延出部が挿入されて、規制部上方の爪部がロック部材の両側面周縁に係合して、ロック部材の抜け止めがなされる共に、ロック連結部にロータ連結部が挿入されて、ロータ部材にロック部材が連結される。
【先行技術文献】
【特許文献】
【０００５】
【特許文献１】国際公開ＷＯ２０１５／１２５７７４号パンフレット
【発明の概要】
【発明が解決しようとする課題】
【０００６】
上記ロック装置の場合、ロータ部材のロータ連結部と、ベース部材の一対の規制部との位置が異なっているので、ロッド組付け時には、上述したように、ロック部材のロック連結部及び第２延出部を、ロータ部材のロータ連結部及び一対の規制部に、それぞれ位置合わせしなければならず、組付け作業が煩雑であった。また、ロック部材を抜け止めする一対の規制部は、ロッド部材の両側にそれぞれ係合する弾性爪状をなしているので、組付け時に、これらを押し広げなければならず、一対の規制部間にロッド部材を挿入しにくい。【０００７】
したがって、本発明の目的は、回転部材にロッドを容易に組付けることができる、開閉体のロック装置を提供することにある。
【課題を解決するための手段】
【０００８】
上記目的を達成するため、本発明は、固定体の開口部に開閉可能に取付けられる開閉体のロック装置であって、前記固定体の開口部又は開閉体のどちらか一方に設けられたロック部と、前記固定体又は前記開閉体のどちらか他方に配置され、前記ロック部に係脱する一対のロッドと、前記固定体又は前記開閉体に設置されるベース部材と、前記ベース部材に回転可能に装着される回転部材と、前記ロック部から前記ロッドを係脱操作する操作部材とを有し、前記ベース部材は、前記固定体又は前記開閉体の設置面に面し、底面を有する底部と、その底面側から立設した一対の立壁部とを有しており、前記回転部材は、前記ロッドに連結して、同回転部材の回転力を前記ロッドに伝達させるロッド連結部と、該ロッド連結部よりも前記回転部材の内径側に設けられ、前記ロッドをスライドガイドするガイド壁部とを有しており、このガイド壁部は、前記回転部材の回転中心に対して、同心状の円弧面を有する、円弧壁又は円筒壁からなり、前記ベース部材の底面に対して面直方向から見たときに、前記ベース部材の立壁部と前記回転部材のガイド壁部とが、前記ロッドを受け入れ可能な隙間を介して、互いに対向して配置されており、前記各ロッドと前記ベース部材の立壁部との間には、前記各ロッドを前記隙間に挿入して前記ロッド連結部に前記各ロッドを連結させたとき、前記ベース部材の底面に対して面直方向に前記ロッドを抜け止めする抜け止め構造が設けられていることを特徴とする。【０００９】
本発明の開閉体のロック装置においては、前記ベース部材の底面に対して面直方向から見たときに、前記ベース部材の立壁部と、前記回転部材のガイド壁部とは、少なくとも、前記ロッド連結部の回動軌跡の範囲内において、互いに対向して配置されていることが好ましい。【００１０】
本発明の開閉体のロック装置においては、前記抜け止め構造は、前記立壁部又は前記ロッドの一方に設けられた撓み可能な弾性爪と、前記立壁部又は前記ロッドの他方に設けられた、前記弾性爪が係合する被係合部とからなり、前記弾性爪は、前記ロッドを前記ガイド壁部に当接させるように付勢した状態で係合するように構成されていることが好ましい。【００１１】
本発明の開閉体のロック装置においては、前記弾性爪は、前記ベース部材の立壁部に形成されており、前記被係合部は、前記ロッドの、前記ベース部材のガイド壁部側の側面とは、反対側の側面に形成されていることが好ましい。【００１２】
本発明の開閉体のロック装置においては、前記被係合部は、前記ロッドの、前記ベース部材のガイド壁部側の側面とは、反対側の側面であって、前記ベース部材の底面寄りの位置に配置された、前記ロッドの軸方向に沿って延びる突条からなることが好ましい。【００１３】
本発明の開閉体のロック装置においては、前記ガイド壁部の外周には、前記ロッド連結部をなすピニオンギヤが形成されており、前記ロッドの、前記ガイド壁部側の側面に、前記ピニオンギヤに歯合するラック溝が形成されていることが好ましい。【００１４】
本発明の開閉体のロック装置においては、前記ロッド連結部は凸状をなしており、前記ロッドの、前記ベース部の底面側には、同ロッドのスライド方向に沿って所定間隔で複数の凹部が形成され、該凹部に前記ロッド連結部が挿入されるように構成されていることが好ましい。
【発明の効果】
【００１５】
本発明によれば、ベース部材の立壁部と回転部材のガイド壁部とは、ロッドを受け入れ可能な隙間を介して、互いに対向して配置されているので、ロッドの抜け止め構造をなすベース部材の立壁部と、ロッドのスライドガイドをなす回転部材のガイド壁部とを、近づけた位置に設けることができ、その結果、立壁部とガイド壁部との隙間にロッドを挿入して、ロッド連結部に連結するだけの簡単な作業で、ロッドの抜け止め及びスライドガイドを図りつつ、回転部材にロッドを容易に組付けることができる。
【図面の簡単な説明】
【００１６】
【図１】本発明に係る開閉体のロック装置の、一実施形態を示す分解斜視図である。
【図２】同ロック装置の説明図である。
【図３】同ロック装置を構成する操作部材の説明図である。
【図４】同ロック装置において、ベース部材に回転部材を組み付けた状態の斜視図である。
【図５】同ロック装置において、ベース部材に回転部材を組み付けた状態の、図４とは異なる方向から見た斜視図である。
【図６】同ロック装置において、回転部材にロッドを取付ける際の斜視図である。
【図７】同ロック装置の要部拡大平面図である。
【図８】図２のＡ−Ａ矢示線における断面図である。
【図９】図２のＢ−Ｂ矢示線における断面図である。
【図１０】図２のＤ−Ｄ矢示線における断面図である。
【図１１】同ロック装置において、開閉体を閉じた状態を示す説明図である。
【図１２】本発明に係る開閉体のロック装置の、他の実施形態を示す要部拡大分解斜視図である。
【図１３】同ロック装置の説明図である。
【図１４】同ロック装置において、ベース部材に回転部材を組み付けた状態の斜視図である。
【図１５】同ロック装置において、回転部材にロッドを取付ける際の斜視図である。
【図１６】本発明に係る開閉体のロック装置の、更に他の実施形態を示す要部拡大断面図である。
【発明を実施するための形態】
【００１７】
以下、図面を参照して、本発明に係る開閉体のロック装置の、一実施形態について説明する。
【００１８】
図２に示すように、この実施形態における開閉体のロック装置１０（以下、「ロック装置１０」という）は、例えば、車両のインストルメントパネルに設けられたグローブボックス等の、固定体１の開口部２に、開閉可能に取付けられる開閉体５を、開閉ロックするために用いられるものである。
【００１９】
なお、開閉体のロック装置としては、例えば、インストルメントパネルの開口部に箱状のグローブボックスが回動可能に取付けられた構造に適用したり（この場合、インストルメントパネルが「固定体」、グローブボックスが「開閉体」をなす）、或いは、インストルメントパネルの開口部にリッドが開閉可能に取付けられた構造（この場合、インストルメントパネルが「固定体」、リッドが「開閉体」をなす）に適用したりしてもよく、固定体の開口部を開閉する各種の開閉体に広く用いることができる。
【００２０】
図２に示すように、この実施形態では、固定体１の開口部２の内面に、凹状のロック部３，３が設けられている。なお、ロック部は、凹状でなくとも、孔状や、突起状、枠状等であってもよく、また、固定体ではなく、開閉体に設けてもよく、特に限定はされない。
【００２１】
そして、図１及び図２に示すように、この実施形態のロック装置１０は、開閉体５に配置され、ロック部３，３に係脱する一対のロッド２０，２０と、開閉体５に設置されるベース部材４０と、該ベース部材４０に回転可能に装着される回転部材６０と、ロック部３からロッド２０を係脱操作する操作部材３０とを有している。また、回転部材６０を回転付勢して、ロッド２０，２０をロック部３，３側に向けて付勢する、トーションバネからなる付勢バネ２９を有している。
【００２２】
また、図１及び図２に示すように、この実施形態の開閉体５は、横長板状をなしていると共に、ベース部材４０を設置させる設置面７を有しており、該設置面７にベース部材４０を抜け止め保持する一対の抜け止め壁部７０，７０が設けられている。
【００２３】
図６を併せて参照すると、一対の抜け止め壁部７０，７０は、所定間隔をあけて互いに平行となるように対向して配置されており、それらの間に、複数の壁部で囲まれると共に内部が複数の仕切り壁で仕切られた、上方が開口した係止部７５（図１参照）が設けられている。この一対の抜け止め壁部７０，７０と、係止部７５とで囲まれた空間が、設置面７の面直方向に対して交差する方向からベース部材４０を受け入れる、受入れ部７７をなしている。
【００２４】
また、一対の抜け止め壁部７０，７０は、ベース部材４０の挿入方向前方側に、挿入規制部７１が設けられ、上端部に天井部７２が形成されて、内面側が凹状をなしている。そして、設置面７の面直方向に交差する方向から前記受入れ部７７にベース部材４０を挿入すると、前記挿入規制部７１にベース部材４０の後述する立壁部５０が当接して、ベース部材４０の挿入規制がなされると共に、前記天井部７２に立壁部５０が係止して、ベース部材４０の、設置面７の面直方向側の抜け止めがなされる（図６及び図８参照）。なお、係止部７５の内側に、ベース部材４０の後述する弾性係止片４７が係止して、受入れ部７７の開口からの、ベース部材４０の抜け止めがなされる。
【００２５】
更に、各抜け止め壁部７０の天井部７２の外面の所定位置（ここでは中央）には、ロッド２０の組付け時の指標となる、組付けマーク７２ａが形成されている。
【００２６】
なお、ベース部材４０を、設置面７に対して面直方向及び受入れ部７７の開口（面直方向に交差する方向）から抜け止めするには、上記構造に限定されるものではなく、種々の構造を採用することができる。
【００２７】
図１及び図２に示すように、各ロッド２０は、両者同一形状であって、その軸方向途中がクランク状に屈曲した形状をなしており、その先端部２１がロック部３に係脱するようになっている。また、各ロッド２０の基部２２は、所定長さで直線状に延びており、該ロッド２０の、ベース部材４０の底面４１ａ側には、ロッド２０のスライド方向に沿って所定間隔で複数の凹部２３が形成されている（図１０参照）。この凹部２３は長孔状をなしており、ロッド２０の長さ方向に短軸側、ロッド２０の長さ方向に直交する方向に長軸側を向けて配置されている（図２参照）。各ロッド２０の所定の凹部２３に、回転部材６０の後述するロッド連結部６３が挿入されて連結し、回転部材６０に一対のロッド２０，２０が連結される。
【００２８】
更に図６及び図７に示すように、各ロッド２０の基部２２の、回転部材６０の後述するガイド壁部６５に接する側とは、反対側の側面であって、ベース部材４０の底面４１ａ寄りの位置に、ロッド２０の軸方向に沿って延びる突条２５が形成されている。この突条２５に、ベース部材４０の後述する弾性爪５３が係合して、ベース部材４０の底面４１ａに対して面直方向にロッド２０を抜け止めする（図８参照）。すなわち、この実施形態においては、突条２５が、本発明における抜け止め構造の「被係合部」をなしている。
【００２９】
また、突条２５には、ベース部材４０の底面４１ａ側に向けて、当接リブ２５ａが突出していると共に、ロッド２０の、ベース部材４０のガイド壁部６５側の側面であって、その底面周縁からも、突条をなした当接リブ２５ｂが突出している（図６参照）。一方の当接リブ２５ａが、ベース部材４０のロッド受け部５２に当接し、他方の当接リブ２５ｂが、回転部材６０の基部６１に当接して、ベース部材４０や回転部材６０に対するロッド２０の接触面積を減少させて、ロッド２０のスライド性能を向上させている（図８参照）。
【００３０】
更に、各ロッド２０の基部２２には、その底面とは反対側の天井面の所定位置に、ロッド２０の組付け時の指標となる、組付けマーク２６が形成されている。
【００３１】
また、各ロッド２０の先端部２１寄りの位置には、枠状部２７が形成されている。図２に示すように、各ロッド２０の枠状部２７内には、開閉体５の設置面７から突設したガイド突起７ａが入り込んで、ロッド２０のスライド動作がガイドされる。また、一方の枠状部２７内には、操作部材３０の操作片３３ａ（図２及び図３参照）が入り込んで、ロッド２０がスライド操作される。
【００３２】
なお、ロッドの形状や構造等は特に限定されない。また、この実施形態のロッド２０は、開閉体側に配置されているが、固定体側に配置されていてもよい。
【００３３】
次に、操作部材３０について説明する。
【００３４】
図２及び図３に示すように、この実施形態の操作部材３０は、開閉体５に固定される固定体３１と、該固定体３１に、開閉体５の面方向に対して近接離反するように取付けられる操作ノブ３３とからなる。操作ノブ３３には、操作片３３ａが設けられており、これが他方のロッド２０の枠状部２７内に入り込んで、該ロッド２０をスライド操作するようになっている（図２及び図３参照）。
【００３５】
なお、操作部材３０は、例えば、開閉体や固定体の面方向に沿って回転する回転ノブや回転ハンドル、或いは、面方向に対して押し込むプッシュ式のものとしてもよく、ロック部３からロッド２０を係脱操作可能であれば、その構造は特に限定されない。また、操作部材３０は、固定体側に取付けられていてもよい。
【００３６】
次に、ベース部材４０について説明する。
【００３７】
図４及び図５に示すように、この実施形態のベース部材４０は、開閉体５の設置面７に面し、底面４１ａを有する底部４１と、該底部４１の底面４１ａから立設した一対の立壁部５０，５０とを有している。
【００３８】
前記底部４１は、略円板状をなしており、その一方の面が、前記一対のロッド２０，２０が配置される底面４１ａをなしている。また、底部４１の底面４１ａの中心から、回転部材６０を回転可能に支持するための、軸部４３が突設されている。この軸部４３は、基部側が先端側よりも拡径しており、基部側外周には、付勢バネ２９の一端が挿入係止されるバネ係止溝４３ａが形成されている（図１参照）。また、軸部４３の先端外周からは、一対の突起４３ｂ，４３ｂが突設されており、回転部材６０をベース部材４０に対して抜け止め保持する。
【００３９】
また、図５に示すように、底部４１の、軸部４３の外周の所定位置には、スリット４５ａを介して撓み可能な回転規制爪４５が形成されており、これが回転部材６０の所定箇所に係止して、回転部材６０の回転規制が図られている。
【００４０】
更に図５に示すように、底部４１の、軸部４３の外周であって、前記回転規制爪４５とと異なる周方向位置には、外面に係止突部４７ｂを有する弾性係止片４７が、スリット４７ａを介して撓み可能に形成されている。この弾性係止片４７が、前記係止部７５の内側に係止して、受入れ部７７の開口部からベース部材４０が抜け止め保持される。
【００４１】
また、前記底部４１の外周であって、周方向に対向する箇所には、一対の延出部４９，４９が設けられており、該延出部４９，４９を介して、前記一対の立壁部５０，５０が互いに平行となるように立設されている。これらの一対の立壁部５０，５０は、前記一対の抜け止め壁部７０，７０の内側に配置されると共に、回転部材６０のガイド壁部６５の外側に配置される（図６参照）。更に、一対の立壁部５０，５０は、回転部材６０に一対のロッド２０，２０が連結されたとき、該一対のロッド２０，２０の外面側に配置される（図７参照）。
【００４２】
また、図４に示すように、延出部４９と立壁部５０との間の隅部（立壁部５０の基部内面側）であって、その幅方向両側には、四角片状のロッド受け部５２，５２が突設されており、これらに前述したロッド２０の当接リブ２５ａが当接支持されて、ロッド２０が支持される（図８参照）。
【００４３】
更に、各立壁部５０の外面側は、天井部５０ａ及び一対の側部５０ｂ，５０ｂからなる、下方（底面４１ａ側）及び側方が開口したコ字枠状をなしている。また、各立壁部５０の枠状部の内方には、底面４１ａ側に形成された空隙５３ａ、及び、一対のスリット５３ｂ，５３ｂを介して、撓み可能な弾性爪５３がそれぞれ形成されている。この弾性爪５３は、その基部側が立壁部５０の天井部５０ａ側に連結され、自由端側を底面４１ａ側に向けて形成されている。
【００４４】
また、図４に示すように、各弾性爪５３の内面側には、係合突部５４が突設されている。この係合突部５４の天井部５０ａ側に、ロッド２０の組み付け性を高める傾斜面５４ａが形成されている。更に、係合突部５４の、弾性爪５３の先端部寄りの位置に、ロッド２０の突条２５に係合する係合面５４ｂが形成されている（図８参照）。
【００４５】
そして、前記ロッド２０とベース部材４０の立壁部５０との間に、ベース部材４０の底面４１ａに対して面直方向にロッド２０を抜け止めする抜け止め構造が設けられている。この実施形態においては、図８に示すように、前記弾性爪５３の係合面５４ｂが、ロッド２０の突条２５に係合して、ロッド２０を抜け止めしており、該弾性爪５３と「被係合部」をなす前記突条２５とが、本発明における「抜け止め構造」を構成している。また、弾性爪５３は、ロッド２０を回転部材６０のガイド壁部６５に当接させるように付勢した状態で（図８の矢印参照）、ロッド２０の突条２５に係合するように構成されている。
【００４６】
なお、「抜け止め構造」としては、上記の弾性爪５３及び突条２５からなる構造のみならず、ベース部材の底面に対して面直方向にロッドを抜け止め可能であればよく、特に限定はない。例えば、ロッド側に弾性爪を設け、ベース部材の立壁部側に突条等を設けてよい（これについては後述の実施形態で説明する）。
【００４７】
また、本発明におけるベース部材は、固定体又は開閉体に設置されると規定されているが、これは、ベース部材が固定体又は開閉体の設置面上に当接して設置される場合や、本実施形態のように、ベース部材４０が設置面７に当接せず、所定隙間を介して離間して設置された場合（図８参照）、更に、ベース部の底面が、設置面とは反対側に向いて設置された場合も含むものであり、ベース部が設置面に対して動かないように固定された状態で設置されることを意味している。
【００４８】
次に、回転部材６０について説明する。
【００４９】
図４に示すように、この実施形態の回転部材６０は、略円板状をなした基部６１を有している。この基部６１の表面側の外周縁部であって、周方向に対向した箇所からは、ロッド２０，２０に連結して、回転部材６０の回転力をロッド２０，２０に伝達させるロッド連結部６３，６３が突出している。
【００５０】
この実施形態におけるロッド連結部６３は、先端部が丸みを帯びた略円柱形の凸状をなしており、ロッド２０の所定の凹部２３に挿脱可能に挿入されるようになっており、ベース部材４０の底面４１ａに対する面直方向の抜け止め構造を有しないものである（図１０参照）。ただし、例えば、ロッド連結部６３の先端部を球状に拡径した形状として、ロッド２０の凹部２３に対して抜け止め可能に嵌合させて、ロッド２０を、ベース部材４０の底面４１ａに対して面直方向に抜け止めする構造としてもよく、特に限定はされない。この場合、前述した弾性爪５３の係合面５４ｂとロッド２０の突条２５とからなる抜け止め構造と併せて、２つの抜け止めを有することとなり、ロッド２０の抜け止めをより確実にできるという利点が得られる。
【００５１】
また、ロッド連結部６３の外径は、ロッド２０の凹部２３の、ロッド２０の長さ方向に沿った幅に適合して形成されており（図１０参照）、ロッド連結部６３が、各ロッド２０の凹部２３に挿入された状態で、各ロッド２０の長さ方向には遊びがなく、且つ、長さ方向に直交する方向には所定の遊びを有して連結されるようになっている。
【００５２】
更に回転部材６０は、前記一対のロッド連結部６３，６３よりも、回転部材６０の内径側に、一対のロッド２０，２０をスライドガイドするガイド壁部６５を有している。図４及び図７に示すように、この実施形態のガイド壁部６５は、前記基部６１の表面側の中心から突出し、回転部材６０の回転中心Ｃ（図７参照）に対して同心状の円弧面を有する、円筒状をなした円筒壁から構成されている。
【００５３】
そして、図７に示すように、このロック装置１０においては、ベース部材４０の底面４１ａに対して面直方向から見たときに、ベース部材４０の各立壁部５０と回転部材６０のガイド壁部６５とが、ロッド２０を受け入れ可能な隙間を介して、互いに対向して配置されている。また、この実施形態においては、図７に示すように、ベース部材４０の底面４１ａに対して面直方向から見たときに、ベース部材４０の各立壁部５０と、回転部材６０のガイド壁部６５とは、少なくとも、ロッド連結部６３の回動軌跡（図７の想像線参照）の範囲内において、互いに対向して配置されている。
【００５４】
なお、前記ガイド壁部６５としては、例えば、対向して配置された一対の円弧壁や、周方向に複数配置された円弧壁等であってもよく、回転部材の回転中心に対して同心状の円弧面を有しているものであればよい。
【００５５】
また、各ガイド壁部６５の上方側内周には、天井板６７が形成されており、該天井板６７の中央には、溝６８ａ，６８ａを有する軸孔６８が形成されている。この溝６８ａ，６８ａにベース部材４０の軸部４３の突起４３ｂ，４３ｂを整合させて、軸孔６８に軸部４３を挿通し、回転部材６０を回転させることで、ベース部材４０に対して回転部材６０が回転可能に支持され且つ抜け止め状態で装着される。なお、回転支持させる構造としては、例えば、軸部を回転部材側に設け、軸孔をベース部材側に設けてもよく、特に限定はない。更に、天井板６７の、軸孔６８の外周位置には、付勢バネ２９の他端を係止するバネ係止片６９が形成されている。
【００５６】
上記回転部材６０は、付勢バネ２９によって、図２の矢印Ｆ方向に回転付勢されており、これによって、回転部材６０に連結された一対のロッド２０，２０が、一対のロック部３，３に係合する方向に付勢されている。また、回転部材６０に連結された一対のロッド２０，２０は、同期してスライド動作するようになっており、一方のロッド２０がスライドした場合には、それに連動して他方のロッド２０もスライドする。
【００５７】
なお、一対のロッドをスライド動作させる回転部材としては、本実施形態のような回転部材６０のみならず、例えば、ピニオンギヤを採用すると共に、一対のロッドにラック溝をそれぞれ形成しておき、このラック溝に前記ピニオンギヤに歯合させて、一方のロッドをスライドさせることで、ピニオンギヤを介して他方のロッドをスライドさせるようにしてもよく、特に限定はされない。なお、ラックピニオン構造のロック装置については、後述の実施形態で説明する。
【００５８】
次に、上記構成からなるロック装置１０の作用効果について説明する。
【００５９】
まず、ベース部材４０への回転部材６０の組付け手順について説明する。すなわち、付勢バネ２９の一端を、ベース部材４０のバネ係止溝４３ａに係止させると共に、同付勢バネ２９の他端を、回転部材６０のバネ係止片６９に係止させた後、付勢バネ２９の回転付勢力に抗して、回転部材６０の溝６８ａ，６８ａにベース部材４０の軸部４３の突起４３ｂ，４３ｂを整合させ、軸孔６８に軸部４３を挿通させることで、付勢バネ２９により回転部材６０が回転付勢されると共に、軸部４３の突起４３ｂが軸孔６８の表側周縁に位置して、ベース部材４０に回転部材６０が回転可能に且つ抜け止め状態で装着される（図４参照）。
【００６０】
その後、設置面７の面直方向に対して交差する方向から、ベース部材４０を受入れ部７７に挿入すると、ベース部材４０の一対の立壁部５０，５０が、一対の抜け止め壁部７０，７０の内側に配置されて、各立壁部５０の天井部５０ａが、各抜け止め壁部７０の天井部７２に係止して、設置面７に対して面直方向側に、ベース部材４０が抜け止めされる（図８参照）。また、ベース部材４０の立壁部５０が、抜け止め壁部７０の挿入規制部７１に当接して挿入規制がなされると共に、ベース部材４０の弾性係止片４７の係止突部４７ｂが、係止部７５の内側周縁に係合して、受入れ部７７の開口からの、ベース部材４０の抜け止めがなされる。こうして、回転部材６０を装着したベース部材４０が、開閉体５の設置面７に設置される。この状態では、ベース部材４０の各立壁部５０と、回転部材６０のガイド壁部６５とが、ロッド２０を受け入れ可能な隙間を介して、互いに対向して配置される（図７参照）。
【００６１】
そして、図６に示すように、一対のロッド２０，２０の基部２２，２２を、ベース部材４０の底面４１ａに対して面直方向から、ベース部材４０の各立壁部５０と回転部材６０のガイド壁部６５との隙間に、ベース部材４０の底面４１ａ側に向けて押し込んでいく。ここでは、抜け止め壁部７０の組付けマーク７２ａに、ロッド２０の組付けマーク２６を位置合わせした状態で、ロッド２０を押し込む。
【００６２】
すると、ロッド２０の所定の凹部２３にロッド連結部６３が挿入されつつ、弾性爪５３の傾斜面５４ａが、ロッド２０の突条２５の当接リブ２５ａに押圧されて、弾性爪５３が撓んでいく。その後、突条２５が、弾性爪５３の係合突部５４の頂部を乗り越えて係合面５４ｂに至ると、弾性爪５３が弾性復帰して、その係合面５４ｂが突条２５に係合して、ロッド２０をガイド壁部６５に当接させるように付勢すると共に（図８の矢印参照）、ロッド２０の凹部２３にロッド連結部６３が挿入され、その先端部が凹部内面に当接して（図９参照）、ベース部材４０の底面４１ａ側からロッド２０を抜け止めした状態で、回転部材６０にロッド２０を装着することができる。
【００６３】
このとき、このロック装置１０においては、図７に示すように、ベース部材４０の立壁部５０と回転部材６０のガイド壁部６５とは、ロッド２０を受け入れ可能な隙間を介して、互いに対向して配置されているので、ロッド２０の抜け止め構造をなすベース部材４０の立壁部５０と、ロッド２０のスライドガイドをなす回転部材６０のガイド壁部６５とを、近づけた位置に設けることができる。その結果、上述したように、立壁部５０とガイド壁部６５との隙間にロッド２０を挿入して、ロッド連結部６３に連結するだけの簡単な作業で、ロッド２０の抜け止め及びスライドガイドを図りつつ、回転部材６０にロッド２０を容易に組付けることができる。
【００６４】
また、この実施形態においては、図７に示すように、ベース部材４０の底面４１ａに対して面直方向から見たときに、ベース部材４０の立壁部５０と、回転部材６０のガイド壁部６５とは、少なくとも、ロッド連結部６３の回動軌跡（図７の想像線参照）の範囲内において、互いに対向して配置されているので、立壁部５０とガイド壁部６５とを、より近づけた位置に設けることができ、回転部材６０への、ロッド２０の組付け作業をより容易に行うことができる。
【００６５】
更に、この実施形態においては、図８に示すように、ベース部材４０に設けた弾性爪５３は、ロッド２０を回転部材６０のガイド壁部６５に当接させるように付勢した状態で係合するように構成されているので、回転部材６０に対するロッド２０のガタ付きを抑制することができ、ガタ付きによる異音を軽減することができ、また、ガイド壁部６５によるロッド２０のガイド性能も高めることができる。
【００６６】
また、この実施形態においては、前記弾性爪５３はベース部材４０の立壁部５０に形成され、被係合部（ここでは突条２５）は、ロッド２０の、ベース部材４０のガイド壁部６５側の側面とは、反対側の側面に形成されているので、抜け止め構造を構成する弾性爪５３及び被係合部を、ロッド２０の厚さ（ベース部材４０の底面４１ａ側からのロッド２０の高さ）の範囲内で形成することができ、ロック装置１０の厚さを薄くしてコンパクトにすることができる。
【００６７】
更に、この実施形態においては、抜け止め構造をなす上記被係合部は、ロッド２０の、ベース部材４０のガイド壁部６５側の側面とは、反対側の側面であって、ベース部材４０の底面４１ａ寄りの位置に、ロッド２０の軸方向に沿って延びる、突条２５からなるので、被係合部に係合する弾性爪５３の撓み部を長く確保することができる（図８参照）。その結果、ロック装置１０を薄くしつつ、弾性爪５３を撓ませやすくして、ロッド２０を立壁部５０とガイド壁部６５との隙間に挿入する際の、挿入性を高めることができる。
【００６８】
また、この実施形態においては、ロッド２０の、ベース部材４０の底面側に、凸状をなしたロッド連結部６３が挿入される、複数の凹部２３が形成されているので（図１０参照）、ロッド連結部６３と凹部２３との挿入位置を適宜変えることで、ロッド２０の先端部２１側の突出量を変えることができ（図２参照）、その結果、ロッド２０を複数の車種に流用しやすくすることがき、汎用性を高めることができる。
【００６９】
なお、このロック装置１０においては、固定体１の開口部２に対して開閉体５を閉じて、一対のロッド２０，２０の先端部２１，２１が、固定体１側の一対のロック部３，３に係合することで、開閉体５が閉じた状態にロックされる（図２参照）。この状態から操作部材３０の操作ノブ３３を操作して、操作片３３ａを介して一方のロッド２０が開閉体５の内方に引き込まれると、回転部材６０を介して他方のロッド２０も開閉体５の内方に引き込まれて、一対のロッド２０，２０の先端部２１，２１と、一対のロック部３，３との係合が解除されて、固定体１の開口部２から開閉体５を開くことができる（図１１参照）。
【００７０】
図１２〜１５には、本発明に係る開閉体のロック装置の、他の実施形態が示されている。なお、前記実施形態と実質的に同一部分には同符号を付してその説明を省略する。
【００７１】
図１２に示すように、この実施形態の開閉体のロック装置１０Ａ（以下、「ロック装置１０Ａ」）は、回転部材６０Ａと一対のロッド２０Ａ，２０Ａとの連結構造が前記実施形態と異なっている。
【００７２】
図１４に示すように、この実施形態における回転部材６０Ａは、そのガイド壁部６５の外周面に、本発明における「ロッド連結部」をなすピニオンギヤ６６が形成されている。すなわち、「ロッド連結部」であるピニオンギヤ６６よりも、回転部材６０Ａの内径側に、円筒状のガイド壁部６５が設けられている。一方、各ロッド２０Ａの基部２２の、ガイド壁部６５側の面に、前記ピニオンギヤ６６に歯合するラック溝２４がそれぞれ形成されている。
【００７３】
そして、この実施形態においては、ガイド壁部６５の外周には、ロッド連結部をなすピニオンギヤ６６が形成され、ロッド２０Ａの、ガイド壁部６５側の側面にラック溝２４が形成されているので、図１５に示すように、ベース部材４０の底面４１ａに対して面直方向から、立壁部５０とガイド壁部６５との隙間にロッド２０を挿入することができ、ピニオンギヤ６６にラック溝２４を歯合させやすく、一対のロッド２０，２０を同期させた状態で簡単に組付けることができると共に、各ロッド２０の先端部２１側の突出量（出代）を容易に調整することができる。
【００７４】
また、この状態では、ベース部材４０の弾性爪５３が、ロッド２０Ａの突条２５に係合して、ロッド２０Ａが抜け止めされるが、このとき、前記実施形態と同様に、弾性爪５３が、ロッド２０Ａを回転部材６０Ａのガイド壁部６５に当接させるように付勢した状態で係合するので、ピニオンギヤ６６とラック溝２４とのバックラッシを吸収することができる。
【００７５】
図１６には、本発明に係る開閉体のロック装置の、更に他の実施形態が示されている。なお、前記実施形態と実質的に同一部分には同符号を付してその説明を省略する。
【００７６】
図１６に示すように、この実施形態の開閉体のロック装置１０Ｂ（以下、「ロック装置１０Ｂ」）は、ベース部材４０Ｂの底面４１ａに対して面直方向にロッド２０Ｂを抜け止めする抜け止め構造が、前記実施形態と異なっている。
【００７７】
すなわち、図１６に示すように、ロッド２０Ｂの、ガイド壁部６５側の側面とは反対側の側面に、撓み可能な弾性爪２８が設けられてる。この弾性爪２８は、基端部がロッド２０Ｂの底面側で、自由端側がロッド２０Ｂの天井面側に向けて配置されており、その外面に係合突部２８ａが形成されている。一方、ベース部材４０Ｂの立壁部５０の上端部（底面４１ａとは反対側の端部）からは、内方に向かって係止壁部５５が突出している。
【００７８】
そして、ロッド２０Ｂの弾性爪２８の係合突部２８ａが、ベース部材４０Ｂの係止壁部５５に係合することで、ロッド２０Ｂがベース部材４０Ｂの底面４１ａ側から抜け止めされた状態で装着される。
【００７９】
なお、本発明は、上述した実施形態に限定されるものではなく、本発明の要旨の範囲内で、各種の変形実施形態が可能であり、そのような実施形態も本発明の範囲に含まれる。
【符号の説明】
【００８０】
１  固定体
２  開口部
３  ロック部
５  開閉体
７  設置面
１０，１０Ａ，１０Ｂ  ロック装置
２０，２０Ａ，２０Ｂ  ロッド
２４  ラック溝
２５  突条
２８  弾性爪
２９  付勢バネ
３０  操作部材
４０，４０Ａ，４０Ｂ  ベース部材
４１  底部
４１ａ  底面
４３  軸部
４７  弾性係止片
５０  立壁部
５３  弾性爪
６０，６０Ａ  回転部材
６３  ロッド連結部
６５  ガイド壁部
６６  ピニオンギヤ
７０  抜け止め壁部
【図１】
2017094551.tif 000003
【図２】
2017094551.tif 000004
【図３】
2017094551.tif 000005
【図４】
2017094551.tif 000006
【図５】
2017094551.tif 000007
【図６】
2017094551.tif 000008
【図７】
2017094551.tif 000009
【図８】
2017094551.tif 000010
【図９】
2017094551.tif 000011
【図１０】
2017094551.tif 000012
【図１１】
2017094551.tif 000013
【図１２】
2017094551.tif 000014
【図１３】
2017094551.tif 000015
【図１４】
2017094551.tif 000016
【図１５】
2017094551.tif 000017
【図１６】
2017094551.tif 000018
【手続補正書】
【提出日】平成29年6月8日(2017.6.8)
【手続補正１】
【補正対象書類名】特許請求の範囲
【補正対象項目名】全文
【補正方法】変更
【補正の内容】
【特許請求の範囲】
【請求項１】
固定体の開口部に開閉可能に取付けられる開閉体のロック装置であって、
前記固定体の開口部又は開閉体のどちらか一方に設けられたロック部と、
前記固定体又は前記開閉体のどちらか他方に配置され、前記ロック部に係脱する一対のロッドと、
前記固定体又は前記開閉体に設置されるベース部材と、
前記ベース部材に回転可能に装着される回転部材と、
前記ロック部から前記ロッドを係脱操作する操作部材とを有し、
前記ベース部材は、前記固定体又は前記開閉体の設置面に面し、底面を有する底部と、その底面側から立設した一対の立壁部とを有しており、
前記回転部材は、前記ロッドに連結して、同回転部材の回転力を前記ロッドに伝達させるロッド連結部と、該ロッド連結部よりも前記回転部材の内径側に設けられ、前記ロッドをスライドガイドするガイド壁部とを有しており、このガイド壁部は、前記回転部材の回転中心に対して、同心状の円弧面を有する、円弧壁又は円筒壁からなり、
前記ベース部材の底面に対して面直方向から見たときに、前記ベース部材の立壁部と前記回転部材のガイド壁部とが、前記ロッドを受け入れ可能な隙間を介して、互いに対向して配置されており、
前記各ロッドと前記ベース部材の立壁部との間には、前記各ロッドを前記隙間に挿入して前記ロッド連結部に前記各ロッドを連結させたとき、前記ベース部材の底面に対して面直方向に前記ロッドを抜け止めする抜け止め構造が設けられており、
前記抜け止め構造は、前記立壁部に設けられた撓み可能な弾性爪と、前記ロッドに設けられた、前記弾性爪が係合する被係合部とからなり、前記弾性爪は、前記立壁の立設方向先端側に配置された基部と、該基部から前記ベース部材の底面側に向けて延びる自由端とを有する形状とされており、前記弾性爪は、自由端側で前記ロッドを前記ガイド壁部に当接させるように付勢した状態で係合するように構成されていることを特徴とする開閉体のロック装置。
【請求項２】
前記ベース部材の底面に対して面直方向から見たときに、前記ベース部材の立壁部と、前記回転部材のガイド壁部とは、少なくとも、前記ロッド連結部の回動軌跡の範囲内において、互いに対向して配置されている請求項１記載の開閉体のロック装置。
【請求項３】
前記ベース部材の底面に対して面直方向から見たときに、前記ベース部材の弾性爪と、前記回転部材のガイド壁部とは、互いに対向して配置されている請求項１又は２記載の開閉体のロック装置。
【請求項４】
前記被係合部は、前記ロッドの、前記ベース部材のガイド壁部側の側面とは、反対側の側面に形成されている請求項１〜３のいずれか１つに記載の開閉体のロック装置。
【請求項５】
前記被係合部は、前記ロッドの、前記ベース部材のガイド壁部側の側面とは、反対側の側面であって、前記ベース部材の底面寄りの位置に配置された、前記ロッドの軸方向に沿って延びる突条からなる請求項４記載の開閉体のロック装置。
【請求項６】
前記ガイド壁部の外周には、前記ロッド連結部をなすピニオンギヤが形成されており、
前記ロッドの、前記ガイド壁部側の側面に、前記ピニオンギヤに歯合するラック溝が形成されている請求項１〜５のいずれか１つに記載の開閉体のロック装置。
【請求項７】
前記ロッド連結部は凸状をなしており、
前記ロッドの、前記ベース部の底面側には、同ロッドのスライド方向に沿って所定間隔で複数の凹部が形成され、該凹部に前記ロッド連結部が挿入されるように構成されている請求項１〜６のいずれか１つに記載の開閉体のロック装置。
【国際調査報告】
2017094551.tif 000019
2017094551.tif 000020
2017094551.tif 000021
2017094551.tif 000022